(57)【要約】【課題】  狭小な玄関であっても全身鏡に自身を映し、また、自然な見え方に近い環境の下で身だしなみを整えることができる住宅の玄関構造を提供することを目的とする。【解決手段】  住宅の玄関構造１は、玄関土間３及び玄関ホール４を並べて配置した玄関構造であって、玄関土間３は、玄関ホール４と繋がって形成され、玄関ホール４は、玄関ホール４を挟んで玄関土間３と対向する外壁体４１によって屋外空間１３と隔てられ、外壁体４１には、玄関土間３に対向する第１壁面４２に全身を映す全身鏡４ａを設置するとともに、採光可能な一対の開口部４ｂを全身鏡４ｂの両側に設置する。【選択図】図２
2019078088.tif 000002
【特許請求の範囲】
【請求項１】
玄関土間及び玄関ホールを並べて配置した住宅の玄関構造であって、
前記玄関土間は、前記玄関ホールと繋がって形成され、
前記玄関ホールは、該玄関ホールを挟んで前記玄関土間と対向する外壁体によって屋外空間と隔てられ、
前記外壁体には、前記玄関土間に対向する第１壁面に全身を映す全身鏡を設置するとともに、採光可能な一対の開口部を前記全身鏡の両側に設置することを特徴とする住宅の玄関構造。
【請求項２】
前記開口部は、前記住宅の北側に面して配置されることを特徴とする請求項１に記載の住宅の玄関構造。
【請求項３】
前記開口部は、型ガラスを用いた建具を備えることを特徴とする請求項１又は請求項２に記載の住宅の玄関構造。
【請求項４】
前記屋外空間には、前記開口部に対向する位置に表面を白色とした面部材を設置することを特徴とする請求項１から請求項３のいずれかに記載の住宅の玄関構造。
【請求項５】
前記全身鏡は、高さ方向へ長尺な矩形状に形成され、幅方向の両端部に一対の照明を備えていることを特徴とする請求項１から請求項４のいずれかに記載の住宅の玄関構造。
【請求項６】
前記玄関土間及び玄関ホールは、前記外壁体に直交する壁体によって他の空間と隔てられており、
前記壁体は、前記玄関ホールに面する第２壁面にハンガー掛けを設置することを特徴とする請求項１から請求項５のいずれかに記載の住宅の玄関構造。
【発明の詳細な説明】
【技術分野】
【０００１】
この発明は、玄関土間及び玄関ホールを並べて配置した住宅の玄関構造に関する。
【背景技術】
【０００２】
従来より、外出時の身だしなみを確認するために全身鏡を玄関土間に設置することが知られているが、一般的な住宅は居室を中心とした空間設計を行っているため玄関のスペースが狭小である場合が多く、特に戸建住宅よりも居住面積の制約を受けやすい集合住宅の玄関に十分な大きさの全身鏡を設置することは難しい。そこで、全身鏡を蝶番によって折曲可能に連結した移動パネルを、垂直姿勢で出入自在に収納する収納パネルを備える姿見が提案されている。この姿見を既存家具の側面などに固定し、必要な場合のみ収納パネルから移動パネルを取り出して全身鏡の位置を調整することにより狭い玄関であっても場所をとらずに全身鏡を設置することができる。（特許文献１）
【０００３】
また、全身鏡を玄関土間に設置する利点として、靴を履いた状態で全身のバランスを確認できる点が挙げられるが、非居室である玄関は一般的に照明の照度を抑えていたり採光可能な窓を設けていない場合が多く、全身鏡を玄関土間に設置しても服の色や全体のバランスを把握しづらい暗い空間で身だしなみを確認せざるを得ないことがある。そこで、全身鏡を設置した玄関土間と並んで配置される玄関ホールに採光可能な開口部を設け、明るい自然光の下で自身を全身鏡に映すことができる戸建住宅の玄関構造が提案されている。（特許文献２）
【先行技術文献】
【特許文献】
【０００４】
【特許文献１】特開平１０−１３７０５３
【特許文献２】特開２００２−３１７５６３
【発明の概要】
【発明が解決しようとする課題】
【０００５】
しかしながら、特許文献１に記載の全身鏡は、場所をとらずに玄関土間に設置できるものの、玄関土間が狭小な場合は自身と鏡の距離が近すぎて全身のバランスを上手く確認することができず、また、玄関に採光可能な開口部が無いため、暗い空間で身だしなみを整えなければならない。
【０００６】
特許文献２に記載の玄関構造では、自然光を取り入れた明るい環境で身だしなみを確認できるものの開口部が全身鏡に対して直交して設置されているため、自身を鏡に映すと外光の入射する方向と反対側の部分に陰影が生じ、自然な見え方に近い環境の下で自身を確認することができない。
【０００７】
そこで、本発明は、上述した課題を鑑みてなされたものであり、狭小な玄関空間であっても明るく自然な見え方に近い環境の下で自身を全身鏡に映し、身だしなみを整えることができる住宅の玄関構造を提供することを目的とする。
【課題を解決するための手段】
【０００８】
本発明の住宅の玄関構造は、玄関土間及び玄関ホールを並べて配置した住宅の玄関構造であって、前記玄関土間は、前記玄関ホールと繋がって形成され、前記玄関ホールは、該玄関ホールを挟んで前記玄関土間と対向する外壁体によって屋外空間と隔てられ、前記外壁体には、前記玄関土間に対向する第１壁面に全身を映す全身鏡を設置するとともに、採光可能な一対の開口部を前記全身鏡の両側に設置することを特徴とする住宅の玄関構造。
【０００９】
本発明の住宅の玄関構造は、前記開口部は、前記住宅の北側に面して配置されることを特徴としている。
【００１０】
本発明の住宅の玄関構造は、前記開口部が、型ガラスを用いた建具を備えることを特徴としている。
【００１１】
本発明の住宅の玄関構造は、前記屋外空間には、前記開口部に対向する位置に表面を白色とした面部材を設置することを特徴としている。
【００１２】
本発明の住宅の玄関構造は、前記全身鏡が、高さ方向へ長尺な矩形状に形成され、幅方向の両端部に一対の照明を備えていることを特徴としている。
【００１３】
本発明の住宅の玄関構造は、前記玄関ホールが、前記外壁体に直交する壁体によって他の空間と隔てられており、前記壁体は、前記玄関ホールに面する第２壁面にハンガー掛けを設置することを特徴としている。
【発明の効果】
【００１４】
本発明の住宅の玄関構造によると、玄関土間が玄関ホールと繋がって形成され、玄関ホールを挟んで玄関土間と対向する外壁体には、玄関土間に対向する第１壁面に全身鏡を設置するとともに、採光可能な一対の開口部を全身鏡の両側に設置しているので、明るく自然な見え方に近い環境の下で玄関土間から全身鏡に映った自身の身だしなみを整えることができる。また、全身鏡は玄関ホールに配置されるので、狭小な玄関土間であっても場所をとらずに無理なく外出時の身だしなみを確認することができる。
【００１５】
本発明の住宅の玄関構造によると、開口部が住宅の北側に面して配置されているので、開口部から北側の外光を得ることができる。したがって、季節や時間帯に左右されない安定した自然光が玄関ホール及び玄関土間に差し込むので、より自然な見え方に近い環境で全身鏡に映る自身の身だしなみを整えることができる。
【００１６】
本発明の住宅の玄関構造によると、開口部は型ガラスを用いた建具を備えているので、外光を玄関ホール及び玄関土間内に取り入れながらも屋外からの視線を気にすることなく自身の身だしなみを整えることができる。
【００１７】
本発明の住宅の玄関構造によると、屋外空間には、開口部に対向する位置に表面が白色の面部材を設けているので、面部材に反射した外光を開口部を通じて玄関ホール及び玄関土間内に取り入れることができ、より明るい環境で全身鏡に映る自身を確認することができる。
【００１８】
本発明の住宅の玄関構造によると、全身鏡が、幅方向の両端部に一対の照明を備えているので、雨の日や夜間においても陰影の生じない明るい環境の下で自身の身だしなみを整えることができる。
【００１９】
本発明の住宅の玄関構造によると、外壁体に直交する壁体は、玄関ホールに面する第２壁面にハンガー掛けを設置するので、収納棚から上着や小物類を出し入れすることなく、全身鏡で身だしなみを確認しながら容易にコーディネートを変更することができる。
【図面の簡単な説明】
【００２０】
【図１】住宅の配置を示す水平断面図。
【図２】図１のＡ部拡大水平断面図。
【図３】図２のＢ−Ｂ断面図。
【図４】図２のＣ−Ｃ断面図。
【図５】照明を備えた全身鏡を示す水平断面図。
【発明を実施するための形態】
【００２１】
以下、住宅の玄関構造１の最良の実施形態について各図を参照しつつ説明する。なお、本願の住宅の玄関構造１は、狭小な玄関を有する住宅を対象としており、ここでは対象となる住宅を戸建て住宅よりも住戸面積の制約を受けやすい集合住宅としている。
【００２２】
図１は、本発明の住宅の玄関構造１を備えた住宅２の配置構成の一例を示している。なお、本実施形態では、図１及び図２における上下左右の方向をそれぞれ北南西東の方向として説明する。図１に示す敷地は、略矩形状を成しており、敷地の北側・東側・西側は、隣地と接してその境界に擁壁などの面部材Ｗａを設けている。また、敷地の南側は道路Ｌａと接しており、敷地内外を行き来することができる。敷地の略中央に配置される住宅２は、賃貸用住戸や分譲住戸などの集合住宅であり、戸建て住宅と比較して住戸面積の制約を受けやすい住戸構造となっている。住宅２は、それぞれ鉤形状に形成された第１住戸２１及び第２住戸２２、各住戸２１・２２の間に配置される共用エントランス２３によって構成されている。第１住戸２１及び第２住戸２２は、互いの入隅部を内側に向けてコ字形状を成し、共用エントランス２３は、各住戸２１・２２の入隅部に囲われた空間に設けられており、第１住戸２１及び第２住戸２２の居住者は、共用エントランス２３の南側に配置される出入口２３ａから住宅２内外を行き来する。
【００２３】
なお、第１住戸２１及び第２住戸２２は、図１に示す壁体Ｐを境にして東西方向に対称形の平面構成であるため、ここでは第１住戸２１を中心に説明を行い、第２住戸２２の説明については省略する。
【００２４】
第１住戸２１は、大きく分けて北側に非居室を集中して配置し、南側に居室を配置する平面構成となっている。具体的には、図１に示すように、第１住戸２１の北西部に配置されるとともに共用エントランス２３に隣接する玄関土間３、玄関土間３の北側に繋がって形成される玄関ホール４、玄関ホール４と各室とを接続する略Ｌ字形の廊下５、北東部に設けられる浴室６、浴室６の西側に隣接する洗面室７、南東部に配置されるＬＤＫ８、ＬＤＫ８に隣接し南西部に配置される寝室９、廊下５と寝室９との間に配置される収納部１０及びトイレ１１によって構成される。また居室であるＬＤＫ８及び寝室９は、日当たりのよい南側のバルコニー１２に面しており、採光可能な開口部から外光を十分に得ることができる。なお、本願において「繋がって形成される」とは、異なる室同士が床面から天井面までを閉塞する間仕切壁や建具によって分断されていないことを意味する。
【００２５】
また、図示例では、壁体Ｐが第１住戸２１と第２住戸２２とを隔てる界壁となっているが、壁体Ｐは必ずしも界壁である必要はなく、外壁や単に隣室と区画するための間仕切り壁でもよい。
【００２６】
玄関土間３は、図２に示すように、玄関土間３の南側に配置されて壁体Ｐと直交し、玄関出入口３ａを有する第１外壁体３１によって共用エントランス２３と隔てられている。また、玄関土間３の床は土間床で構成され、玄関ホール４との境界に床見切材３２を設置しており、図３に示すように、その床高さは玄関ホール４の床高さと略同一に形成される。なお、玄関土間３は、一般的な集合住宅に設けられる玄関のスペースを有しており、例えば、幅Ｗを１２００ｍｍ〜１５００ｍｍ程度、奥行きＤを１０００ｍｍ程度で形成される。そして、玄関土間３の右側には、靴や小物を収納するための収納家具３ｂが設置されており、仮に全身の映る鏡を設置しても、鏡と自身との距離が近いため全身のバランスを十分に確認することが困難な空間となっている。
【００２７】
玄関ホール４は、図２に示すように、壁体Ｐと直交するとともに玄関ホール４を挟んで玄関土間３と対向する第２外壁体４１によって屋外空間１３と隔てられている。第２外壁体４１は、図１及び図２に示すように、住宅２の北側に面して配置される外壁体で、玄関土間３に対向する第１壁面４２に全身鏡４ａを設置するとともに、採光可能な一対の開口部４ｂを全身鏡４ａの左右両側に設置している。図３に示すように、玄関ホール４の天井は、玄関土間３の天井と略面一となるように形成されており、その天井高さＨ１は特に限定されないが、例えば、２４００ｍｍ程度で形成される。また、玄関ホール４の天井には、玄関土間３及び玄関ホール４を照らす天井照明４３が設置されている。このように天井照明４３を玄関土間３の天井に設けないことによって、玄関土間３に立つ自身に照明による陰影が生じることを防止することができ、全身鏡４ａに映る自身をしっかりと確認することができる。
【００２８】
また、図２に示すように、第１外壁体３１の玄関土間３側の壁面から玄関ホール４の第１壁面４２までの第１距離Ｌ１は、１８００〜２０００ｍｍ程度が好ましい。このような寸法であれば、一般的な集合住宅において無理のない広さの玄関とすることができ、また、玄関土間３から自身を全身鏡４ａに映した時に、全身鏡４ａが遠すぎる又は近すぎるということはなく、丁度よい距離で全身のチェックを行うことができる。
【００２９】
図４に示すように、全身鏡４ａは高さ方向に長尺な正面視矩形の鏡で、その下端を第２外壁体４１の下端に合わせて設置されている。その大きさは全身を映すことができる大きさであれば特に限定されないが、鏡の高さＨ２を２０００ｍｍ程度、鏡の幅Ｗ１を５００ｍｍ程度とするのが好適である。このような寸法であれば、靴を履いた状態で玄関土間３から全身鏡４ａを見た時に男女共に全身を映すことができる。なお、全身鏡４ａの形状は、必ずしも正面視矩形である必要はなく、その他の形状であっても問題ない。
【００３０】
また、図４に示すように、全身鏡４ａは幅方向の両端部に一対の照明４ｃを備えたものであってもよい。例えば、図５に示すように、全身鏡４ａの鏡面を構成する板ガラス４ｄ及び板ガラス４ｄの裏面に設置される反射膜４ｅのうち、全身鏡４ａの幅方向の両端部に位置する反射膜４ｅを除いて鏡面加工を施していない一対の透光部４ｆを全身鏡４ａに形成し、この全身鏡４ａを、全身鏡４ａの設置位置に予め照明装置４ｇを埋め込んだ第２外壁体４１に設置し、透光部４ｆから照明装置４ｇの光を透過させることで照明４ｃを形成することができる。第２外壁体４１の内部に照明装置４ｇを設置することにより、第２外壁体４１の内壁面に反射した間接的な柔らかな光を透光部４ｆを介して照射することができる。また、照明４ｃは、壁内に照明装置４ｇを埋め込まずに、第１壁面４２や全身鏡４ａの表面に設置して直接照明としてもよい。このように全身鏡４ａが一対の照明４ｃを備えることにより、夜間や雨天時のようにわずかな自然光しか採光できない場合であっても、明るい環境の下、全身をチェックすることができる。なお、照明４ｃは、全身鏡４ａの幅方向の両端部だけでなく長手方向の両端部にも併せて設置しても良い。
【００３１】
住宅２の北側に面する一対の開口部４ｂは、図２及び図４に示すように、全身鏡４ａの左右両側に配置され、採光可能な光透過性を有する建具４４を備えている。建具４４は、図示例の開き窓のほか、嵌め殺し窓、すべり出し窓や押し倒し窓など、採光可能であればその種類は限定されない。
【００３２】
建具４４に用いる面材は、表面に凹凸模様をつけた型ガラスを用いることが好ましい。面材に型ガラスを用いることで、玄関ホール４及び玄関土間３に自然光を取り入れつつも外部からの視線を気にすることなく身だしなみを整えることができる。また、全身鏡４ａに自身を映す際、型ガラスへの自身の映り込みを防止して、快適に身だしなみを整えることが出来る。なお、建具４４に用いる面材は、型ガラスの他にフロストガラス、すりガラス、又は光透過性を有するアクリル板でもよく、また、通常の透明ガラスに光透過性を有する目隠しフィルムを貼着させたものでもよい。
【００３３】
開口部４ｂの寸法は、開口高さＨ３を２４００ｍｍ程度、開口幅Ｗ２を３００ｍｍ程度とするのが好適である。このような寸法であれば、玄関ホール４及び玄関土間３に十分な光量を取り入れることができ、明るい環境の下で身だしなみを整えることができる。なお、図示例では玄関ホール４の天井高さＨ１と開口高さＨ３を同一の高さとしているが、異なる高さとしてもよい。
【００３４】
住宅２の北側に面する開口部４ｂは、他の方位に面して設置された場合と比較して入射する光量は劣るものの、季節や時間帯に左右されることなく年間を通じて安定した光量を確保することができ、また、直射日光が当たらないため眩しさを感じることがない。そして、一対の開口部４ｂ及び全身鏡４ａは面内方向を揃えて配置されるため、全身鏡４ａに映った自身に陰影が生じることはなく、明るくより自然な見え方に近い環境の下、全身鏡４ａに映る自身の身だしなみを整えることができる。
【００３５】
また、図２及び図３に示すように、壁体Ｐには、玄関ホール４に面する第２壁面Ｐ１にハンガー掛け１４を設置しており、上着や小物類を掛けておくことができる。したがって、外出時に、収納棚から上着や小物類を出し入れすることなく、全身鏡４ａで身だしなみを確認しながら容易にコーディネートを変更することができる。
【００３６】
図２に示すように、第２外壁体４１が面する屋外空間１３には、開口部４ｂに対向する位置に面部材Ｗａを立設している。面部材Ｗａは、一般的に隣地との境界に立設するコンクリートブロック塀やコンクリート擁壁、ルーバーフェンス等で形成される。そして、面部材Ｗａは、表面を白色に塗装した部材や白色の材質からなる部材を使用することにより、図３に示すように、表面に当たった外光Ｘを反射させて開口部４ｂから玄関ホール４及び玄関土間３内に入射させることができる。このとき、本実施形態のように面部材Ｗａを敷地の北側に配置することにより南方向からの直射日光をより効率よく反射させることができ、より明るい空間で全身鏡４ａに映った自身を確認することができる。
【００３７】
面部材Ｗａは、図１のように敷地境界線全長に沿って設けてもよく、また、開口部４ｂに対向する範囲のみに設置してもよい。そして、図２に示す第２外壁体４１の屋外空間１３側の壁面から面部材Ｗａの第２外壁体４１側の面までの第２距離Ｌ２は、１０００ｍｍ程度が好適である。この程度の距離であれば、面部材Ｗａに反射した外光を開口部４ｂを通じて玄関ホール４及び玄関土間３内へ入射させることができる。なお、面部材の高さＨ４は特に限定されないが、例えば、１８００ｍｍ程度とすることができる。
【００３８】
このように、住宅の玄関構造１を住宅２の住戸に適用することにより、明るく自然な見え方に近い環境の下で玄関土間３から全身鏡４ａに映った自身の身だしなみを確認することができる。また、全身鏡４ａは、玄関土間３と繋がって形成される玄関ホール４に配置されるので、通過動線である玄関ホール４に用途を持たせて省スペース化を図ることができるとともに遠近が丁度良い状態で玄関土間３から外出時の身だしなみを確認することができる。なお、本実施形態では、図１及び図２において上下左右方向をそれぞれ北南西東の方位を示すものとして説明したが、その他の方位を示すものであってもよい。
【００３９】
また、本発明の実施の形態は上述の形態に限ることなく、本発明の思想の範囲を逸脱しない範囲で適宜変更することができる。
【産業上の利用可能性】
【００４０】
この発明は、狭小な玄関を有する住宅において好適に使用することができる。
【符号の説明】
【００４１】
１      住宅の玄関構造
２      住宅
３      玄関土間
４      玄関ホール
４１    第２外壁体（外壁体）
４２    第１壁面
４４    建具
４ａ    全身鏡
４ｂ    開口部
４ｃ    照明
Ｗａ    面部材
Ｐ      壁体
Ｐ１    第２壁面
１３    屋外空間
１４    ハンガー掛け
【図１】
2019078088.tif 000003
【図２】
2019078088.tif 000004
【図３】
2019078088.tif 000005
【図４】
2019078088.tif 000006
【図５】
2019078088.tif 000007